(57)【要約】【課題】服のポケット等に挟んで使用し、車両のライトに反射して、周囲のドライバーに視認性を発揮して交通事故の防止を図るマグネット挟持式の反射具を提供する。【解決手段】マグネット材１２を収納した吸着部１３同士を、中央部に折り目１４を設けた連結部１５で連結して一連に形成し、折り目１４を折り曲げて、マグネット材１２同士を吸着させることによって、吸着部１３で挟持可能な構成とし、吸着部１３及び連結部１５の少なくとも表側は、反射材で形成される。【選択図】図１
0003176290.tif 000002
【実用新案登録請求の範囲】
【請求項１】
マグネット材を収納した吸着部同士を、中央部に折り目を設けた連結部で連結して一連に形成し、
前記折り目を折り曲げて、前記マグネット材同士を吸着させることによって、前記吸着部で挟持可能な構成とし、
前記吸着部及び前記連結部の少なくとも表側は、反射材で形成されること
を特徴とするマグネット挟持式の反射具。
【請求項２】
前記吸着部又は／及び前記連結部は、着色が施され、あるいは模様、図柄が描かれていること
を特徴とする請求項１に記載のマグネット挟持式の反射具。
【考案の詳細な説明】
【技術分野】
【０００１】
本考案は、マグネット挟持式の反射具に関するものであり、更に詳しくは、夜間のジョギングやウォーキングの際に、服のポケット等に挟んで使用し、車両のライトや街灯の光に反射して、周囲のドライバー等に視認性を発揮して交通事故の防止を図るマグネット挟持式の反射具に関するものである。
【背景技術】
【０００２】
従来、この種の反射具としては、次のような構成の反射ブレスレットが知られている。この反射ブレスレットは、Ｃ字状に湾曲した合成樹脂の板材の表面に、外部の光に対して反射するシート状の反射材を、接着剤や両面テープで貼着して構成される（特許文献１参照）。
【０００３】
このような構成の反射ブレスレットは、使用者の腕や足に嵌めて使用し、車両のライトや街灯の光に反射して、周囲に対して目立たせることで交通安全を図ろうとするものである。
【先行技術文献】
【特許文献】
【０００４】
【特許文献１】実用新案登録第３０９２１９６号公報
【考案の概要】
【考案が解決しようとする課題】
【０００５】
この従来例の反射ブレスレットにおいては、サイズが使用者の腕周りや足回りと合わない場合には、大きすぎてブラついたり、あるいは小さくて、嵌めたときに締め付け過ぎて痛かったりするおそれがあるという欠点を有している。
【０００６】
また、反射ブレスレットは、Ｃ字状に湾曲した板材を腕や足などに嵌めて使用するので、ジョギングの最中に振動でズリ下がってブラつくおそれがあるという欠点も有している。
【０００７】
更には、反射ブレスレットがＣ字状に湾曲した形状であるために、腕や足以外の部位には、ピッタリ取り付けることができないという欠点もある。
【０００８】
従って、従来例における反射ブレスレットにおいては、使用時のブラつきや締め付けすぎ、あるいはズリ下がりを解消することと、腕や足以外の部位にもピッタリ取り付けられるようにすることとに解決しなければならない課題を有している。
【課題を解決するための手段】
【０００９】
前記従来例の課題を解決するための本考案の要旨は、マグネット材を収納した吸着部同士を、中央部に折り目を設けた連結部で連結して一連に形成し、前記折り目を折り曲げて、前記マグネット材同士を吸着させることによって、前記吸着部で挟持可能な構成とし、前記吸着部及び前記連結部の少なくとも表側は、反射材で形成されることである。
【００１０】
また、吸着部又は／及び前記連結部は、着色が施され、あるいは模様、図柄が描かれていること、；
を含むものである。
【考案の効果】
【００１１】
本考案に係るマグネット挟持式の反射具によれば、夜間のジョギングやウォーキングの際に、服のポケット、袖口、裾、襟等の様々な部分に挟んで使用できる。そして、車両のライトや街灯の光に反射して、周囲のドライバー等に視認性を発揮し、交通事故を防止できる。
また、マグネット材を吸着させて挟持するので、従来例のような、反射具のブラつきや締め付けすぎ、あるいはズリ下がりがなく、腕や足だけでなく様々な部位にピッタリ挟んで取り付けることができる。
更には、マグネット挟持式の反射具を、書類を挟むクリップとして使用することもできる。その場合は、ロッカーや冷蔵庫等の金属面に吸着させて使用し、反射材が光を反射するので目立って目印となるという種々の優れた効果を奏する。
【００１２】
吸着部又は／及び連結部は、着色が施され、あるいは模様、図柄が描かれていることによって、よりいっそう目立つこととなるので、視認性がさらに向上して交通事故を防止することができるという優れた効果を奏する。
【図面の簡単な説明】
【００１３】
【図１】本考案に係るマグネット挟持式の反射具１１の正面図である。
【図２】本考案に係るマグネット挟持式の反射具１１の一部を破断して示した正面図である。
【図３】本考案に係るマグネット挟持式の反射具１１の側面の縦断面図である。
【図４】本考案に係るマグネット挟持式の反射具１１の挟持状態の斜視図である。
【図５】本考案に係るマグネット挟持式の反射具１１をクリップとして使用した説明図である。
【考案を実施するための形態】
【００１４】
次に、本考案の実施の形態について図面を参照しながら説明する。まず、図１から図４において、符号１１はマグネット挟持式の反射具を示し、この反射具１１は、マグネット材１２を収納した吸着部１３同士を、中央部に折り目１４を設けた連結部１５で連結して一連に構成される。
【００１５】
マグネット挟持式の反射具１１は、図１から図３に示すように、表側１６と裏側１７とを２枚の軟質ＰＶＣ（ポリ塩化ビニル）シート材を重ね合わせて、吸着部１３の縁部１３ａに沿った部位と、連結部１５の縁部１５ａに沿った部位とを熱溶着等の接着手段で接着し、吸着部１３と連結部１５とを一連に形成している。
【００１６】
吸着部１３は、図２及び図３に示すように、表側１６と裏側１７とのＰＶＣシート材の間にマグネット材１２が収納されている。
【００１７】
なお、吸着部１３の形状は、図１に示すような円形状に限定されることはなく、例えば楕円形状、菱形状、多角形状、ハート形状、あるいは花びら形状等の様々な形であってもよいことは勿論である。
【００１８】
連結部１５の中央部は、図１から図４に示すように、熱溶着等の手段で折り目１４が形成されており、この折り目１４を境にして二つ折りができるようになっている。従って、折り目１４を折り曲げて、マグネット材１２同士を吸着させることによって、吸着部１３で挟持可能な構成になっている（図４参照）。
【００１９】
吸着部１３及び連結部１５の少なくとも表側１６のＰＶＣシート材は、精巧なプリズムカットを有する再帰性反射シート（高輝度マイクロプリズム反射シート）で形成されている。従って、ライトに反射して周囲に視認性を発揮することができる。特に、反射光は、遠い距離でも短い距離でもハッキリと視認することができて、ドライバーが安全を確保できると言われている３０〜１８０ｍで最も視認性が優れている。
【００２０】
なお、吸着部１３、連結部１５は、着色が施されたり、あるいは、模様、図柄が描かれていてもよい。この場合は、よりいっそう目立つこととなるので、視認性がさらに向上する。
【００２１】
以上のように構成されるマグネット挟持式の反射具１１は、夜間のジョギングやウォーキングの際に、服のポケット、袖口、裾、襟等の様々な部分に挟んで使用できる。また、自転車での走行時や、子供の通学時の他に、夜間の道路ぎわでの作業時や、夜間の高速道路での緊急停止の合図としての使用に適している。これらの場合、車両のライトや街灯の光に反射して、周囲のドライバー等に視認性を発揮し交通事故を防止できる。
【産業上の利用可能性】
【００２２】
本考案のマグネット挟持式の反射具１１は、夜間のジョギング等の際に、服のポケット等に挟んで取り付け、車両のライトに反射して、周囲のドライバーに視認性を発揮する反射具であるが、これを応用して、反射具１１を、図５に示すように、書類１８を挟むクリップとして使用することも可能である。その場合は、冷蔵庫１９やロッカー等の金属面１９ａに吸着させて使用し、反射材が光を反射するので目立って目印となる。
【符号の説明】
【００２３】
１１  マグネット挟持式の反射具
１２  マグネット材
１３  吸着部
１３ａ  縁部
１４  折り目
１５  連結部
１５ａ  縁部
１６  表側
１７  裏側
１８  書類
１９  冷蔵庫
１９ａ  金属面
【図１】
0003176290.tif 000003
【図２】
0003176290.tif 000004
【図３】
0003176290.tif 000005
【図４】
0003176290.tif 000006
【図５】
0003176290.tif 000007